(57)【要約】本発明に係る通信装置は、外部の通信機能付きの電力量計と通信する第１通信部と、住環境に設置された通信ネットワーク上の機器と通信する第２通信部と、前記第２通信部を介して、前記電力量計と前記第１通信部で通信するための、前記電力量計の認証ＩＤ及び通信を行うための認証情報を設定する電力量計設定部とを備える。本発明に係る通信装置は、ホームエネルギマネジメントシステムにおいてＢルート通信のための認証ＩＤ及び認証情報を分電盤に簡易に設定することができる。
2015045345.tif 000002
【特許請求の範囲】
【請求項１】
外部の通信機能付きの電力量計と通信する第１の通信部と、
住環境に設置された通信ネットワーク上の機器と通信する第２の通信部と、
前記第２の通信部を介して、前記電力量計と前記第１の通信部で通信するための、前記電力量計の認証ＩＤ及び通信を行うための認証情報を設定する電力量計設定部と
を備えた通信装置。
【請求項２】
前記第２の通信部は、ＮＦＣ通信、ＩｒＤＡ通信、若しくはＢｌｕｅｔｏｏｔｈ（登録商標）通信を含む無線通信のための通信部であることを特徴とする請求項１に記載の通信装置。
【請求項３】
前記第２の通信部は、前記電力量計の認証ＩＤ及び通信を行うための認証情報が記録されているカード記録媒体と通信するメモリ通信装置であることを特徴とする請求項１に記載の通信装置。
【請求項４】
請求項１に記載の通信装置と通信する入力機器で動作する設定プログラムであって、
前記入力機器に入力される前記電力量計の認証ＩＤ及び通信を行うための認証情報を受け取るステップと、
それらの入力された認証ＩＤと認証情報とを出力して前記電力量計設定部に設定させるステップと
を実行する設定プログラム。
【請求項５】
請求項１に記載の通信装置と及び外部サーバと通信する入力機器で動作する設定プログラムであって、
前記電力量計の認証ＩＤ及び通信を行うための認証情報を前記外部サーバから取得するステップと、
それらの取得された認証ＩＤと認証情報とを出力して前記電力量計設定部に設定させるステップと
を実行する設定プログラム。
【請求項６】
請求項４に記載の設定プログラムであって、
前記受け取るステップは、バーコードリーダ又はＣＣＤカメラによりバーコード又はＱＲコード（登録商標）を読み取り、これにより前記電力量計の認証ＩＤ及び通信を行うための認証情報を受け取るステップを含む
設定プログラム。
【請求項７】
請求項６に記載の設定プログラムであって、
前記バーコード若しくはＱＲコード（登録商標）は、前記通信装置のユーザに郵送される郵便物に付されている、又は、前記通信装置のユーザ毎に付与されるＵＲＬコードに従って表示されるウエブページに示される、バーコード若しくはＱＲコード（登録商標）である、
設定プログラム。
【請求項８】
請求項５に記載の設定プログラムであって、
前記取得するステップは、前記通信装置に固有の個体識別番号により、前記電力量計の認証ＩＤ及び通信を行うための認証情報を取得するステップを含む、
設定プログラム。
【請求項９】
前記第２の通信部がＮＦＣ通信のための通信部である請求項１に記載の通信装置に対して、電力量計の認証ＩＤ及び通信を行うための認証情報を送信するためのアンテナ付きＩＣチップ。
【請求項１０】
ＮＦＣ通信、ＩｒＤＡ通信、若しくはＢｌｕｅｔｏｏｔｈ（登録商標）通信を含む無線通信を介して取得した電力量計の認証ＩＤ及び通信を行うための認証情報を、ＰＬＣ通信若しくは特定小電力無線通信を介して、前記電力量計に接続する分電盤に発信するＢルート設定用アダプタ。
【請求項１１】
少なくとも請求項１に記載の通信装置を備え、請求項１０に記載のＢルート設定用アダプタが着脱自在に設定される分電盤。
【発明の詳細な説明】
【技術分野】
【０００１】
本発明は、Ｂルート通信用設定情報の設定に係る通信装置、設定プログラム、及び当該通信装置を内蔵した分電盤に関する。
【背景技術】
【０００２】
ホームエリアネットワーク（Ｈｏｍｅ  Ａｒｅａ  Ｎｅｔｗｏｒｋ；ＨＡＮ）は、空気調和機（エアコン）、蓄電池、太陽光発電装置などの宅内機器をコントローラに接続することにより構成される。スマートグリッドの構築に当たっては、これら宅内機器（ＨＡＮ側機器）は、通常スマートメータ（通信機能付き電力量計）と接続される。【０００３】
スマートメータとＨＡＮ側機器の接続においては、機器認証を行うために、スマートメータとＨＡＮ側機器との双方が、「認証ＩＤ（Ｉｄｅｎｔｉｆｉｅｒ）」情報と、その認証ＩＤに紐付けられた、通信を行うための「認証情報」を持つ必要がある。ここでの「認証ＩＤ」及び「認証情報」は、接続されるスマートメータによって異なるものである。なお、ここでの「認証情報」とは、例えば「パスワード」である。【０００４】
スマートメータとＨＡＮ側機器との間の通信は「Ｂルート通信」と称される。一つの「Ｂルート通信」毎に、一組の「認証ＩＤ」及び「認証情報」が設定される。【０００５】
なお、特許文献１には、ＨＥＭＳコントローラ及び家電機器の夫々のＩＤ及び証明書の情報を事前にスマートメータに簡単に設定しておくことができる設定方法が開示されている。
【先行技術文献】
【特許文献】
【０００６】
【特許文献１】国際出願国際公開番号ＷＯ２０１３／１１８５１１  Ａ１
【発明の概要】
【発明が解決しようとする課題】
【０００７】
スマートメータを、ＨＡＮ側機器のうち分電盤とまず接続する場合、次のような課題が考えられる。スマートメータに対して新たに分電盤を設ける場合には、分電盤とのＢルート通信を行うために、分電盤にＢルート通信の「認証ＩＤ」及び「認証情報」を設定しなければならない。しかしながら、分電盤は通常、データ入力部やデータ表示部を備えていない。また、個別の分電盤が実際にどのスマートメータと接続するのかは分電盤製造時には全く分からないので、工場出荷時に分電盤に具体的な「認証ＩＤ」及び「認証情報」を設定することは不可能である。【０００８】
上記課題に鑑みて、本発明に係る通信装置、設定プログラム及び通信装置を内蔵した分電盤の目的とするところは、Ｂルート通信のための「認証ＩＤ」及び「認証情報」を分電盤に簡易に設定することである。
【課題を解決するための手段】
【０００９】
本発明に係る通信装置は、
外部の通信機能付きの電力量計と通信する第１の通信部と、
住環境に設置された通信ネットワーク上の機器と通信する第２の通信部と、
前記第２通信部を介して、前記電力量計と前記第１の通信部で通信するための、前記電力量計の認証ＩＤ及び通信を行うための認証情報を設定する電力量計設定部と
を備える。【００１０】
更に、本発明に係る通信装置において、
前記第２の通信部は、ＮＦＣ通信、ＩｒＤＡ通信、若しくはＢｌｕｅｔｏｏｔｈ（登録商標）通信を含む無線通信のための通信部であってもよい。【００１１】
更に、本発明に係る通信装置において、
前記第２の通信部は、前記電力量計の認証ＩＤ及び通信を行うための認証情報が記録されているカード記録媒体と通信するメモリ通信装置であってもよい。【００１２】
本発明に係る設定プログラムは、
本発明に係る通信装置と通信する入力機器で動作する設定プログラムであって、
前記入力機器に入力される前記電力量計の認証ＩＤ及び通信を行うための認証情報を受け取るステップと、
それらの入力された認証ＩＤと認証情報とを出力して前記電力量計設定部に設定させるステップと
を実行する。【００１３】
本発明に係る設定プログラムは、
本発明に係る通信装置と及び外部サーバと通信する入力機器で動作する設定プログラムであって、
前記電力量計の認証ＩＤ及び通信を行うための認証情報を前記外部サーバから取得するステップと、
それらの取得された認証ＩＤと認証情報とを出力して前記電力量計設定部に設定させるステップと
を実行する。【００１４】
更に、本発明に係る設定プログラムにおいて、
前記受け取るステップは、バーコードリーダ又はＣＣＤカメラによりバーコード又はＱＲコード（登録商標）を読み取り、これにより前記電力量計の認証ＩＤ及び通信を行うための認証情報を受け取るステップを含んでもよい。【００１５】
更に、本発明に係る設定プログラムにおいて、
前記バーコード若しくはＱＲコード（登録商標）は、前記通信装置のユーザに郵送される郵便物に付されている、又は、前記通信装置のユーザ毎に付与されるＵＲＬコードに従って表示されるウエブページに示される、バーコード若しくはＱＲコード（登録商標）であってもよい。【００１６】
更に、本発明に係る設定プログラムにおいて、
前記取得するステップは、前記通信装置に固有の個体識別番号により、前記電力量計の認証ＩＤ及び通信を行うための認証情報を取得するステップを含んでもよい。【００１７】
本発明に係るアンテナ付きＩＣチップは、
前記第２の通信部がＮＦＣ通信のための通信部である、本発明に係る通信装置に対して、電力量計の認証ＩＤ及び通信を行うための認証情報を送信するためのアンテナ付きＩＣチップである。【００１８】
本発明に係るＢルート設定用アダプタは、
ＮＦＣ通信、ＩｒＤＡ通信、若しくはＢｌｕｅｔｏｏｔｈ（登録商標）通信を含む無線通信を介して取得した電力量計の認証ＩＤ及び通信を行うための認証情報を、ＰＬＣ通信若しくは特定小電力無線通信を介して、前記電力量計に接続する分電盤に発信する。【００１９】
本発明に係る分電盤は、
少なくとも本発明に係る通信装置を備え、本発明に係るＢルート設定用アダプタが着脱自在に設定されるものであってもよい。
【発明の効果】
【００２０】
本発明に係る通信装置、設定プログラム及び通信装置を内蔵した分電盤は、Ｂルート通信のための「認証ＩＤ」及び「認証情報」を分電盤に簡易に設定することができる。
【図面の簡単な説明】
【００２１】
【図１】本発明に係るホームエネルギマネジメントシステム（ＨＥＭＳ）及びホームエリアネットワークの全体図である。
【図２】本発明に係るホームエネルギマネジメントシステム（ＨＥＭＳ）における、Ｂルート通信部分の構成図である。
【図３】本発明の実施の形態１に係る通信装置及び入力機器のブロック図である。
【図４】本発明の実施の形態２に係る通信装置、入力機器、及び外部サーバのブロック図である。
【図５】本発明の実施の形態３に係る通信装置、入力機器、及び外部サーバのブロック図である。
【図６】本発明の実施の形態４に係る通信装置、入力機器、及び外部サーバのブロック図である。
【図７】本発明の実施の形態５に係る通信装置、Ｂルート設定用アダプタ、入力機器、及び外部サーバのブロック図である。
【発明を実施するための形態】
【００２２】
〔実施の形態１〕
以下、図１〜図３を用いて、実施の形態１に係る通信装置１５及び入力機器６０を説明する。
【００２３】
＜１−１．構成＞
１−１−１．ホームエネルギマネジメントシステム（ＨＥＭＳ）及びホームエリアネットワークの概略構成
図１は、本発明の実施の形態１に係るホームエネルギマネジメントシステム（ＨＥＭＳ）２及びホームエリアネットワーク８の全体図である。
【００２４】
電力会社によりユーザの居住する家屋に設けられるスマートメータ１２は、電力会社の設けるサーバ（電力会社サーバ）１０と接続される。電力会社サーバ１０とスマートメータ１２との通信は「Ａルート通信」４と称される。
【００２５】
スマートメータ１２は、家屋内において分電盤１４と接続される。スマートメータ１２と分電盤１４との通信は「Ｂルート通信」６と称される。Ｂルート通信６は通常、ＰＬＣ（パワーラインコミュニケーション；電力線搬送通信）若しくは特定小電力無線（９２０ＭＨｚ帯）信号を介して行われる。分電盤１４は、後で説明するＨＥＭＳコントローラ２２と接続して当該ＨＥＭＳコントローラ２２に様々な指示信号を与える。分電盤１４は、Ｂルート通信のためのＢルート通信機能部１６、及び、ホームエネルギマネジメントシステム（ＨＥＭＳ）のためのＨＡＮ通信機能部１７を含む。
【００２６】
ホームエリアネットワーク８は、ＨＥＭＳコントローラ２２を中心にして構築される。ＨＥＭＳコントローラ２２には、無線若しくは有線を介して一つ若しくは複数の機器（ＨＡＮ側機器）３２が接続する。ここでのＨＡＮ側機器は、例えば、蓄電池（ＳＢ）３２ａ、太陽光発電装置（ＰＶ）３２ｂ、若しくは空気調和機（エアコン）３２ｃなどである。
【００２７】
また、ＨＥＭＳコントローラ２２は、通常家屋内に設置されるルータ２６を介して、汎用表示装置３０や、外部サーバ２４と接続する。汎用表示装置３０は、例えば、タブレット端末３０ｂやスマートフォン３０ｃなどであり、イーサネット（登録商標）（ｅｔｈｅｒｎｅｔ）通信やＷｉ−Ｆｉ通信を介してルータ２６と信号を送受信する。外部サーバは、例えば、ホームエネルギマネジメントシステム（ＨＥＭＳ）のためのサーバであるＨＥＭＳサーバ２４であり、インターネット通信を介してルータ２６と信号を送受信する。
【００２８】
汎用表示装置３０やＨＥＭＳサーバ２４からの信号を受信するするルータ２６は、ＨＡＮ側機器３２を制御する信号などをＨＥＭＳコントローラ２２に送信する。これと併せてルータ２６は、ＨＡＮ側機器３２からの信号を受けたＨＥＭＳコントローラ２２からの信号を受信し、更に、汎用表示装置３０やＨＥＭＳサーバ２４に信号を送信する。
【００２９】
以上のように、ＨＥＭＳコントローラ２２は、電力会社サーバ１０からＡルート４及びＢルート６経由で通知されるコマンドレスポンス情報を基に、ＨＡＮ側機器３２の制御を行う。同時に、ＨＥＭＳコントローラ２２は、ＨＥＭＳサーバ２４や汎用表示装置３０からの命令信号を基に、ＨＡＮＳ側機器３２の制御を行う。
【００３０】
１−１−２．Ｂルート通信部分の概略構成
図２は、本発明の実施の形態１に係るホームエネルギマネジメントシステム（ＨＥＭＳ）における、特にＢルート通信部分の概略構成図である。
【００３１】
図２に示す分電盤１４は、Ｂルート通信のためのアダプタであるスマートメータアダプタ１６、ホームエネルギマネジメントシステム（ＨＥＭＳ）のためのアダプタであるＨＥＭＳアダプタ１８、及び、電流や電圧の計測を行う計測ユニット２０を備える。スマートメータアダプタ１６は、前述のＢルート通信機能部に相当する。ＨＥＭＳアダプタ１８は、前述のＨＡＮ通信機能部１７に相当する。なお、図３〜図７を用いて後で説明する、Ｂルート用通信制御部４０及びＢルート用通信ＩＦ（インタフェース）部４２は、スマートメータアダプタ１６に含まれスマートメータアダプタ１６を構成する。更に、図３〜図５を用いて後で説明する、ＨＡＮ用通信制御部４６及びＨＡＮ用通信ＩＦ（インタフェース）部４８は、ＨＥＭＳアダプタ１８に含まれＨＥＭＳアダプタ１８を構成する。
【００３２】
なお、ＨＥＭＳアダプタ１８と計測ユニット２０とが一体的に設けられていてもよい。さらに、スマートメータアダプタ１６と、ＨＥＭＳアダプタ１８と、計測ユニット２０とが一体的に設けられていてもよい。
【００３３】
図２に示すスマートメータアダプタ１６とＨＥＭＳアダプタ１８は、分電盤１４の内部に設けられている。スマートメータアダプタ１６は分電盤１４の外部に設けられてもよい。更に、スマートメータアダプタ１６とＨＥＭＳアダプタ１８のセットが分電盤１４の外部に設けられてもよい。
【００３４】
ホームエネルギマネジメントシステム（ＨＥＭＳ）においては、一つのＢルート通信毎に、一組の「認証ＩＤ」、及び、通信を行うための（且つその認証ＩＤのための）「認証情報」が設定される。ここで、通信を行うための（且つその認証ＩＤのための）「認証情報」とは、例えば、「パスワード」である。
【００３５】
スマートメータ１２に対しては、Ａルート４を介して電力会社サーバ１０から「認証ＩＤ」及び「認証情報」が設定される。一方、スマートメータ１２とＢルート６を介して通信を行う分電盤１４には、何らかの手段若しくは方法により、それら「認証ＩＤ」及び「認証情報」が設定されなければならない。
【００３６】
しかしながら、分電盤１４は通常、データ入力部やデータ表示部を備えない。また、分電盤１４にデータ入力部やデータ表示部を新たに設けることは、分電盤１４の大型化や高コスト化に繋がる。
【００３７】
以下の実施の形態１は、タッチパネル等のデータ入力部を備えない分電盤１４に正確に「認証ＩＤ」及び「認証情報」を設定するものである。
【００３８】
１−１−３．通信装置の構成
図３は、本発明の実施の形態１に係る、分電盤１４に含まれる通信装置１５、及び入力機器６０の構成を示すブロック図である。分電盤１４に含まれる通信装置１５は、スマートメータ１２とのＢルート通信を行うためのＢルート用通信制御部４０及びＢルート用通信ＩＦ（インタフェース）部４２を備える。また、通信装置１５は、ＨＡＮ側機器３２とのイーサネット（登録商標）通信を行うためのＨＡＮ用通信制御部４６及びＨＡＮ用通信ＩＦ（インタフェース）部４８を備える。更に、通信装置１５は、Ｂルート接続を設定するためのＢルート設定部４４及び記憶部５０を備える。
【００３９】
Ｂルート用通信制御部４０及びＢルート用通信ＩＦ（インタフェース）部４２は、スマートメータアダプタ１６に含まれスマートメータアダプタ１６を構成する。ＨＡＮ用通信制御部４６及びＨＡＮ用通信ＩＦ（インタフェース）部４８は、ＨＥＭＳアダプタ１８に含まれＨＥＭＳアダプタ１８を構成する。
【００４０】
一方、本発明の実施の形態１に係る通信装置１５とイーサネット（登録商標）を介して接続する入力機器６０は、データ入力のための入力部６２、イーサネット（登録商標）通信やＷｉ−Ｆｉ通信のための通信ＩＦ（インタフェース）部６６を備える。更に、通信装置１５とイーサネット（登録商標）を介して接続する入力機器６０は、通信装置１５にＢルート接続を設定させるためのＢルート設定用通信部６４を備える。
【００４１】
入力機器６０は、通常パーソナルコンピュータ（ＰＣ）などのコンピュータにより実現される。従って、入力機器６０は、演算部（ＣＰＵ）、通信部、記憶部、入力部及び出力部を備える。入力機器６０においては、適切なソフトウエアによる情報処理がこれらハードウエア資源を用いて具体的に実現される。例えば、適切なソフトウエアによるＢルート設定用通信部６４に係る情報処理は、演算部や通信部のハードウエア資源を用いて具体的に実現される。なお、入力機器６０には、パーソナルコンピュータ（ＰＣ）の他に、スマートフォン、タブレット端末、テレビジョン（ＴＶ）受像機などが含まれる。
【００４２】
通信装置１５と入力機器６０とはイーサネット（登録商標）７０を介して接続する。なお、入力機器６０がアクセスポイントを経由して通信装置１５と通信を行ってもよい。この場合、入力機器６０の通信ＩＦ部６６とアクセスポイントとは、Ｗｉ−Ｆｉ通信などの無線通信を行うものであってもよい。
【００４３】
分電盤１４に含まれる通信装置１５は通常、ＨＡＮ側機器３２とイーサネット（登録商標）規格によって通信を行う。すなわち、分電盤１４に含まれる通信装置１５は、イーサネット（登録商標）規格に従うＨＡＮ用通信ＩＦ（インタフェース）部４８を備える。実施の形態１では、入力機器６０がイーサネット（登録商標）を介してこのＨＡＮ用通信ＩＦ部４８と接続する。これにより、入力機器６０から分電盤１４に対して認証ＩＤ及び認証情報の設定を行う。
【００４４】
＜１−２．動作＞
１−２−１．通信装置及び入力機器の動作
図２を用いて説明したように、分電盤１４にはＢルート接続のための「認証ＩＤ」と「認証情報」が設定されなければならない。実施の形態１では、入力機器６０を用いて、分電盤１４に含まれる通信装置１５に「認証ＩＤ」と「認証情報」が設定される。
【００４５】
まず、イーサネット（登録商標）７０若しくはＷｉ−Ｆｉ通信を介して、入力機器６０が分電盤１４と接続される。この場合、入力機器６０のＢルート設定用通信部６４と分電盤１４のＢルート設定部４４との間においてＢルート設定用通信部６４がＢルート設定部４４を自動的に探す仕組みが、Ｂルート設定用通信部６４とＢルート設定部４４との夫々に設けられてもよい。即ち、例えば、以下の（１）〜（３）のような仕組みを構築してもよい。
（１）Ｂルート設定用通信部６４が通信ＩＦ部６６を介して分電盤１４のＢルート設定部４４を探す探索信号を発信する。
（２）その探索信号を受けた分電盤１４のＢルート設定部４４が探索信号に対する応答信号を発信する。
（３）その応答信号をＢルート設定用通信部６４が受信し、分電盤１４の存在を確認する。
【００４６】
続いて、入力機器６０の入力部６２から「認証ＩＤ」及び「認証情報」が入力される。ここで、入力機器６０の入力部６２は、タッチパッド、キーボード、マウス、ポインティングデバイスなどであるから、入力機器６０のユーザによりこれら入力部６２を介して「認証ＩＤ」及び「認証情報」が入力される。
【００４７】
入力部６２から入力された「認証ＩＤ」及び「認証情報」は、Ｂルート設定用通信部６４及び通信ＩＦ部６６を介して、分電盤１４における、ＨＡＮ用通信制御部４６により制御されるＨＡＮ用通信ＩＦ部４８に通知される。
【００４８】
分電盤１４における、ＨＡＮ用通信ＩＦ部４８に通知される「認証ＩＤ」及び「認証情報」は、Ｂルート設定部４４が、分電盤の通信装置１５の記憶部５０に記憶させる。
【００４９】
このように記憶部５０に記憶された「認証ＩＤ」及び「認証情報」を、分電盤１４は、Ｂルート６における接続認証にて利用する。
【００５０】
なお、「認証ＩＤ」及び「認証情報」は、バーコードリーダやＣＣＤカメラにより入力されてもよい。つまり、「認証ＩＤ」及び「認証情報」がバーコードやＱＲコード（登録商標）で表されており、それを入力機器６０の入力部６２であるバーコードリーダやＣＣＤカメラで読み取る、という構成が採用されてもよい。また、バーコードやＱＲコード（登録商標）は、ユーザに別途郵送される郵便物に付されていてもよい。また、ユーザ毎に付与されるＵＲＬコードに従ってウエブページを開けると、そこに「認証ＩＤ」及び「認証情報」を表すＱＲコード（登録商標）やバーコードが表示されている、という構成であってもよい。
【００５１】
＜１−３．まとめ＞
以上のように、実施の形態１に係る分電盤に含まれる通信装置は、外部の通信機能付きの電力量計（スマートメータ）と通信する第１の通信部と、住環境に設置された通信ネットワーク上の機器と通信する第２の通信部とを備える。更に前記通信装置は、第２の通信部を介して、電力量計（スマートメータ）と第１の通信部で通信するための、電力量計（スマートメータ）の認証ＩＤ及び通信を行うための認証情報を設定する電力量計設定部とを備える。
【００５２】
このように、実施の形態１に係る通信装置１５を含むホームエネルギマネジメントシステム（ＨＥＭＳ）２においては、入力機器６０を利用して、Ｂルート通信のための「認証ＩＤ」及び「認証情報」を分電盤１４に簡易に設定することができる。このことにより、分電盤１４の構成をコンパクト且つ簡易なものにすることができる。
【００５３】
なお、「認証ＩＤ」及び「認証情報」を記憶する記憶部５０は、スマートメータアダプタ１６と、ＨＥＭＳアダプタ１８との、いずれが備えても構わない。同様に、Ｂルート設定部４４は、スマートメータアダプタ１６と、ＨＥＭＳアダプタ１８との、いずれが備えても構わない。
【００５４】
「認証ＩＤ」及び「認証情報」を記憶する記憶部５０は、ＨＥＭＳアダプタ１８が備えることがより好ましい。例えば、ＰＬＣ通信に対応するＢルート用通信ＩＦ（インタフェース）部４２を備えるスマートメータアダプタ、及び、９２０ＭＨｚの無線通信に対応するＢルート用通信ＩＦ（インタフェース）部４２を備えるスマートメータアダプタがそれぞれ準備された上で、分電盤１４の設置場所に応じていずれかのスマートメータアダプタが選択されるような場合、記憶部５０をＨＥＭＳアダプタ１８が備えていれば、いずれのスマートメータアダプタが選択されても分電盤１４において「認証ＩＤ」および「認証情報」が確実に利用され得ることになるからである。
【００５５】
〔実施の形態２〕
図４を用いて、実施の形態２に係る通信装置１５、入力機器６０、及び外部サーバ８０を説明する。
【００５６】
＜２−１．構成＞
実施の形態２に係る分電盤１４に含まれる通信装置１５及び入力機器６０は、図３に示す実施の形態１に係る通信装置及び入力機器と同様の構成を有する。以下で説明するように、実施の形態２に係る入力機器６０は、ユーザ識別情報に基づいて、外部サーバ８０から「認証ＩＤ」及び「認証情報」を取得する点で、実施の形態１のものとは異なる。ここでの外部サーバ８０は、インターネットを経由して入力機器６０と接続する
【００５７】
外部サーバ８０は、通信部８２と記憶部８４を備える。記憶部８４では、ユーザ識別情報と「識別ＩＤ」及び「認証情報」とが、紐付けて予め記憶されている。ここで、ユーザ識別情報とは、例えば、住所・氏名などのユーザを識別するためのデータである。この外部サーバ８０は、電力会社サーバ１０やＨＥＭＳサーバ２４と同じものであってもよい。
【００５８】
＜２−２．動作＞
２−２−１．通信装置、入力機器及び外部サーバの動作
図２を用いて説明したように、分電盤１４にはＢルート接続のための「認証ＩＤ」と「認証情報」が設定されなければならない。本実施の形態では、外部サーバ８０に送信されるデータ（ユーザ識別情報）を用いて外部サーバ８０にて「認証ＩＤ」と「認証情報」が取得され、これら「認証ＩＤ」と「認証情報」が分電盤１４に含まれる通信装置１５に設定される。
【００５９】
まず、イーサネット（登録商標）７０若しくはＷｉ−Ｆｉ通信を介して、入力機器６０が分電盤１４と接続される。この場合、実施の形態１と同様に、入力機器６０のＢルート設定用通信部６４と分電盤１４のＢルート設定部４４との間においてＢルート設定用通信部６４がＢルート設定部４４を自動的に探す仕組みが、Ｂルート設定用通信部６４とＢルート設定部４４との夫々に設けられてもよい。
【００６０】
続いて、入力機器６０の入力部６２から、分電盤１４のユーザに関するユーザ識別情報（例えば、ユーザの住所・氏名に関するデータ）が入力される。入力されたユーザ識別情報は入力機器６０の通信ＩＦ部６６から、インターネット２８を経由して、外部サーバ８０の通信部８２に送信される。入力機器６０から外部サーバ８０にユーザ識別情報が送信される際には、暗号化通信によりユーザ識別情報が保護されるのが好ましい。
【００６１】
外部サーバ８０においては、通信部８２が受信したユーザ識別情報に基づいて、それらユーザ識別情報に予め紐付けられている「認証ＩＤ」及び「認証情報」が探索され取得される。取得された「認証ＩＤ」及び「認証情報」は外部サーバ８０の通信部８２から、インターネット２８を経由して、入力機器６０の通信ＩＦ部６６に送信される。外部サーバ８０から入力機器６０に「認証ＩＤ」及び「認証情報」が送信される際には、暗号化通信によりそれら情報が保護されるのが好ましい。
【００６２】
外部サーバ８０から取得された「認証ＩＤ」及び「認証情報」は、Ｂルート設定用通信部６４及び通信ＩＦ部６６を介して、分電盤１４における、ＨＡＮ用通信制御部４６により制御されるＨＡＮ用通信ＩＦ部４８に通知される。
【００６３】
分電盤１４における、ＨＡＮ用通信ＩＦ部４８に通知される「認証ＩＤ」及び「認証情報」は、Ｂルート設定部４４が、分電盤の通信装置１５の記憶部５０に記憶させる。
【００６４】
このように記憶部５０に記憶された「認証ＩＤ」及び「認証情報」を、分電盤１４は、Ｂルート６における接続認証にて利用する。
【００６５】
＜２−３．まとめ＞
以上のように、実施の形態２に係る入力機器で動作する設定プログラムは、実施の形態１に係る通信装置と及び外部サーバと通信する入力機器で動作する設定プログラムである。設定プログラムは、電力量計の認証ＩＤ及び通信を行うための認証情報を外部サーバから取得するステップと、それらの取得された認証ＩＤと認証情報とを出力して電力量計設定部に設定させるステップとを実行する。
【００６６】
このように、実施の形態２に係るホームエネルギマネジメントシステム（ＨＥＭＳ）２においては、入力機器６０及び外部サーバ８０を利用して、Ｂルート通信のための「認証ＩＤ」及び「認証情報」が分電盤１４に簡易に設定され得る。このことにより、分電盤１４の構成をコンパクト且つ簡易なものにすることができる。
【００６７】
また、「認証ＩＤ」や「認証情報」が直接入力機器６０に入力される実施の形態１に比べて、操作者の入力ミスが発生する可能性が小さく、よって、スマートメータ１２と分電盤１４との間の初期接続の失敗が発生する可能性も小さい。更に、認証ＩＤや認証情報が暗号化通信により保護されるので、それらデータが第三者の目に触れることがなくより安全にＢルートが構築され得る。
【００６８】
なお、実施の形態１と同様に、「認証ＩＤ」及び「認証情報」を記憶する記憶部５０は、スマートメータアダプタ１６と、ＨＥＭＳアダプタ１８との、いずれが備えても構わない。Ｂルート設定部４４は、スマートメータアダプタ１６と、ＨＥＭＳアダプタ１８との、いずれが備えても構わない。
【００６９】
「認証ＩＤ」及び「認証情報」を記憶する記憶部５０は、ＨＥＭＳアダプタ１８が備えることがより好ましい。例えば、ＰＬＣ通信に対応するＢルート用通信ＩＦ（インタフェース）部４２を備えるスマートメータアダプタ、及び、９２０ＭＨｚの無線通信に対応するＢルート用通信ＩＦ（インタフェース）部４２を備えるスマートメータアダプタがそれぞれ準備された上で、分電盤１４の設置場所に応じていずれかのスマートメータアダプタが選択されるような場合、記憶部５０をＨＥＭＳアダプタ１８が備えていれば、いずれのスマートメータアダプタが選択されても分電盤１４において「認証ＩＤ」および「認証情報」が確実に利用され得ることになるからである。
【００７０】
〔実施の形態３〕
図５を用いて、実施の形態３に係る通信装置１５、入力機器６０、及び外部サーバ８０を説明する。
【００７１】
＜３−１．構成＞
実施の形態３に係る分電盤１４に含まれる通信装置１５及び入力機器６０は、図３に示す実施の形態１に係る通信装置及び入力機器と同様の構成を有する。以下で説明するように、実施の形態３に係る入力機器６０は、分電盤１４の個体識別番号及びユーザ識別情報に基づいて、インターネット経由で接続する外部サーバ８０から「認証ＩＤ」及び「認証情報」を取得する点で、実施の形態１のものとは異なる。
【００７２】
外部サーバ８０は、通信部８２と記憶部８４を備える。記憶部８４では、ユーザ識別情報、分電盤の個体識別番号、並びに「識別ＩＤ」及び「認証情報」が予め紐付けて記憶されている。ここで、分電盤の個体識別番号とは、個々の分電盤を識別するために付される番号である。分電盤の個体識別番号の代わりに、通信装置の個体識別番号が用いられてもよい。更に、分電盤の個体識別番号と、通信装置の個体識別番号とが用いられてもよい。
【００７３】
＜３−２．動作＞
３−２−１．通信装置、入力機器及び外部サーバの動作
図２を用いて説明したように、分電盤１４にはＢルート接続のための「認証ＩＤ」と「認証情報」が設定されなければならない。本実施の形態では、外部サーバ８０に送信されるデータ（分電盤１４の個体識別番号及びユーザ識別情報）を用いて外部サーバ８０にて「認証ＩＤ」と「認証情報」が取得され、これら「認証ＩＤ」と「認証情報」が分電盤１４に含まれる通信装置１５に設定される。
【００７４】
まず、イーサネット（登録商標）７０若しくはＷｉ−Ｆｉ通信を介して、入力機器６０が分電盤１４と接続される。この場合、実施の形態１と同様に、入力機器６０のＢルート設定用通信部６４と分電盤１４のＢルート設定部４４との間においてＢルート設定用通信部６４がＢルート設定部４４を自動的に探す仕組みが、Ｂルート設定用通信部６４とＢルート設定部４４との夫々に設けられてもよい。
【００７５】
続いて、入力機器６０の入力部６２から、分電盤１４のユーザに関するユーザ識別情報（例えば、ユーザの住所・氏名に関するデータ）、及び、分電盤１４の個体識別番号が入力される。入力されたユーザ識別情報及び分電盤の個体識別番号は、入力機器６０の通信ＩＦ部６６から、インターネット２８を経由して、外部サーバ８０の通信部８２に送信される。
【００７６】
なお、分電盤の個体識別番号がバーコードやＱＲコード（登録商標）で表されており、それを入力機器６０の入力部６２であるバーコードリーダやＣＣＤカメラで読み取る、という構成が採用されてもよい。また、バーコードやＱＲコード（登録商標）は、分電盤自体に付されていてもよいし、ユーザに別途郵送される郵便物に付されていてもよい。また、ユーザ毎に付与されるＵＲＬコードに従ってウエブページを開けると、そこに分電盤の個体識別番号を表すＱＲコード（登録商標）やバーコードが表示されている、という構成であってもよい。
【００７７】
外部サーバ８０においては、通信部８２が受信したユーザ識別情報及び分電盤の個体識別番号に基づいて、それら情報に予め紐付けられている「認証ＩＤ」及び「認証情報」が探索され取得される。取得された「認証ＩＤ」及び「認証情報」は外部サーバ８０の通信部８２から、インターネット２８を経由して、入力機器６０の通信ＩＦ部６６に送信される。
【００７８】
外部サーバ８０から取得された「認証ＩＤ」及び「認証情報」は、Ｂルート設定用通信部６４及び通信ＩＦ部６６を介して、分電盤１４における、ＨＡＮ用通信制御部４６により制御されるＨＡＮ用通信ＩＦ部４８に通知される。
【００７９】
分電盤１４における、ＨＡＮ用通信ＩＦ部４８に通知される「認証ＩＤ」及び「認証情報」は、Ｂルート設定部４４が、分電盤の通信装置１５の記憶部５０に記憶させる。
【００８０】
このように記憶部５０に記憶された「認証ＩＤ」及び「認証情報」を、分電盤１４は、Ｂルート６における接続認証にて利用する。
【００８１】
＜３−３．まとめ＞
以上のように、実施の形態３に係る入力機器で動作する設定プログラムは、実施の形態１に係る通信装置と及び外部サーバと通信する入力機器で動作する設定プログラムである。設定プログラムは、電力量計の認証ＩＤ及び通信を行うための認証情報を外部サーバから取得するステップと、それらの取得された認証ＩＤと認証情報とを出力して電力量計設定部に設定させるステップとを実行する。更に、前述の取得するステップは、通信装置に固有の個体識別番号により、電力量計の認証ＩＤ及び通信を行うための認証情報を取得するステップを含む。
【００８２】
このように、実施の形態３に係るホームエネルギマネジメントシステム（ＨＥＭＳ）２においては、入力機器６０及び外部サーバ８０を利用して、Ｂルート通信のための「認証ＩＤ」及び「認証情報」が分電盤１４に簡易に設定され得る。このことにより、分電盤１４の構成をコンパクト且つ簡易なものにすることができる。
【００８３】
また、第三者に開示されているユーザ識別情報を用いて「認証ＩＤ」や「認証情報」が取得される実施の形態２と比べて、本実施の形態では、第三者には通常開示されない分電盤の個体識別番号も用いて「認証ＩＤ」や「認証情報」が取得される。このことにより、第三者がＢルート通信のための「認証ＩＤ」や「認証情報」を悪意で取得してＢルート通信に不正に介入するような事態の発生が防がれ得る。
【００８４】
なお、実施の形態１及び２と同様に、「認証ＩＤ」及び「認証情報」を記憶する記憶部５０は、スマートメータアダプタ１６と、ＨＥＭＳアダプタ１８との、いずれが備えても構わない。Ｂルート設定部４４は、スマートメータアダプタ１６と、ＨＥＭＳアダプタ１８との、いずれが備えても構わない。
【００８５】
「認証ＩＤ」及び「認証情報」を記憶する記憶部５０は、ＨＥＭＳアダプタ１８が備えることがより好ましい。例えば、ＰＬＣ通信に対応するＢルート用通信ＩＦ（インタフェース）部４２を備えるスマートメータアダプタ、及び、９２０ＭＨｚの無線通信に対応するＢルート用通信ＩＦ（インタフェース）部４２を備えるスマートメータアダプタがそれぞれ準備された上で、分電盤１４の設置場所に応じていずれかのスマートメータアダプタが選択されるような場合、記憶部５０をＨＥＭＳアダプタ１８が備えていれば、いずれのスマートメータアダプタが選択されても分電盤１４において「認証ＩＤ」および「認証情報」が確実に利用され得ることになるからである。
【００８６】
〔実施の形態４〕
図６を用いて、実施の形態４に係る通信装置１５、入力機器６０、及び外部サーバ８０を説明する。
【００８７】
＜４−１．構成＞
分電盤１４に含まれる通信装置１５は通常、ＨＡＮ側機器３２とイーサネット（登録商標）規格によって通信を行う。しかしながら、新築家屋などにおいて宅内配線が完全には構築されていない状況では、イーサネット（登録商標）通信を利用することが困難若しくは不可能であることがある。そこで、実施の形態４では、ＮＦＣ（近距離無線通信）、ＩｒＤＡ（赤外線通信協会）規格、若しくはＢｌｕｅｔｏｏｔｈ（登録商標）を介して、入力機器６０が分電盤１４と接続する。このことにより、入力機器６０から認証ＩＤ及び認証情報の設定を行う。
【００８８】
図６は、本発明の実施の形態４に係る、分電盤１４に含まれる通信装置１５、入力機器６０、及び外部サーバ８０の構成を示すブロック図である。分電盤１４に含まれる通信装置１５は、スマートメータ１２とのＢルート通信を行うためのＢルート用通信制御部４０及びＢルート用通信ＩＦ（インタフェース）部４２を備える。また、通信装置１５は、Ｂルート接続を設定するためにＮＦＣ通信、ＩｒＤＡ規格通信、若しくはＢｌｕｅｔｏｏｔｈ（登録商標）通信を行うＢルート設定情報読み込み部４９を備える。
【００８９】
Ｂルート用通信制御部４０及びＢルート用通信ＩＦ（インタフェース）部４２は、スマートメータアダプタ１６に含まれスマートメータアダプタ１６を構成する。
【００９０】
一方、通信装置１５とＮＦＣ通信、ＩｒＤＡ規格通信、若しくはＢｌｕｅｔｏｏｔｈ（登録商標）通信を介して接続する入力機器６０は、データ入力のための入力部６２、記憶部６３、Ｂルート設定情報通知部６７、及び、Ｂルート設定情報入手部６５を備える。Ｂルート設定情報通知部６７は、Ｂルート接続を設定するために、通信装置１５のＢルート設定情報読み込み部４９とＮＦＣ通信、ＩｒＤＡ規格通信、若しくはＢｌｕｅｔｏｏｔｈ（登録商標）通信を行う。Ｂルート設定情報入手部６５は、Ｂルート接続を設定するための設定情報の入手を行う。
【００９１】
入力機器６０において、適切なソフトウエアによるＢルート設定上方通知部６７及びＢルート設定情報入手部６５に係る情報処理は、コンピュータである入力機器６０の演算部や通信部のハードウエア資源を用いて具体的に実現される。
【００９２】
入力機器６０と分電盤１４との間の通信においてＮＦＣ（近距離無線通信）が利用される場合には、入力機器６０におけるＢルート設定情報通知部６７は、「認証ＩＤ」及び「認証情報」を送信するためのＩＤカードやアンテナ付きＩＣチップであってもよい。ここでのアンテナは、ＮＦＣ（近距離無線通信）のためのものである。更に、ＩＣチップは、官製はがきなどの郵便物に添付され得るように構成されたものであってもよい。
【００９３】
外部サーバ８０は、通信部８２と記憶部８４を備える。記憶部８４では、ユーザ識別情報と「識別ＩＤ」及び「認証情報」とが、予め紐付けて記憶されている。更に記憶部８４では、ユーザ識別情報、分電盤の個体識別番号、並びに「識別ＩＤ」及び「認証情報」が予め紐付けて記憶されていてもよい。
【００９４】
＜４−２．動作＞
４−２−１．通信装置、入力機器及び外部サーバの動作
図２を用いて説明したように、分電盤１４にはＢルート接続のための「認証ＩＤ」と「認証情報」が設定されなければならない。本実施の形態では、外部サーバ８０に送信されるデータ（ユーザ識別情報、分電盤１４の個体識別番号など）を用いて外部サーバ８０にて「認証ＩＤ」と「認証情報」が取得され、これら「認証ＩＤ」と「認証情報」が分電盤１４に含まれる通信装置１５に設定される。
【００９５】
まず、ＮＦＣ通信、ＩｒＤＡ規格通信、若しくはＢｌｕｅｔｏｏｔｈ（登録商標）通信を介して、入力機器６０が分電盤１４と接続される。
【００９６】
続いて、入力機器６０の入力部６２から、分電盤１４のユーザに関するユーザ識別情報（例えば、ユーザの住所・氏名に関するデータ）が入力される。入力されたユーザ識別情報は、入力機器６０のＢルート設定情報入手部６５から、インターネット２８を経由して、外部サーバ８０の通信部８２に送信される。ここで、分電盤１４の個体識別番号も、入力機器６０の入力部６２から入力されて、Ｂルート設定情報入手部６５から外部サーバ８０の通信部８２に送信されてもよい。更に、入力機器６０から外部サーバ８０にユーザ識別情報及び分電盤１４の個体識別番号が送信される際には、暗号化通信によりユーザ識別情報及び個体識別番号が保護されるのが好ましい。
【００９７】
外部サーバ８０においては、通信部８２が受信したユーザ識別情報に基づいて、その情報に予め紐付けられている「認証ＩＤ」及び「認証情報」が探索され取得される。このとき、通信部８２が受信したユーザ識別情報及び分電盤の個体識別番号に基づいて、それら情報に予め紐付けられている「認証ＩＤ」及び「認証情報」が探索され取得されてもよい。取得された「認証ＩＤ」及び「認証情報」は外部サーバ８０の通信部８２から、インターネット２８を経由して、入力機器６０のＢルート設定情報入手部６５に送信される。外部サーバ８０から入力機器６０に「認証ＩＤ」及び「認証情報」が送信される際には、暗号化通信によりそれら情報が保護されるのが好ましい。
【００９８】
外部サーバ８０から取得された「認証ＩＤ」及び「認証情報」は、Ｂルート設定情報通知部６７を介して、分電盤１４におけるＢルート設定情報読み込み部４９に通知される。
【００９９】
「認証ＩＤ」及び「認証情報」を通知されたＢルート設定情報読み込み部４９は、分電盤１４の通信装置１５の記憶部５０に、通知された「認証ＩＤ」及び「認証情報」を記憶させる。
【０１００】
このように記憶部５０に記憶された「認証ＩＤ」及び「認証情報」を、分電盤１４は、Ｂルート６における接続認証にて利用する。
【０１０１】
なお、「認証ＩＤ」及び「認証情報」が２次元バーコードやＱＲコード（登録商標）で表されて、それらコードが分電盤１４のＢルート設定情報読み込み部４９に送信されＢルート設定情報読み込み部４９がコード内容を読み取る、という構成が採用されてもよい。
【０１０２】
また、分電盤１４のＢルート設定情報読み込み部４９は、「認証ＩＤ」及び「認証情報」が記録されたカード記録媒体（例えば、ＳＤカード）と通信するメモリ通信装置であってもよい。
【０１０３】
＜４−３．まとめ＞
以上のように、実施の形態４に係る分電盤１４に含まれる通信装置１５は、外部の通信機能付きの電力量計（スマートメータ）と通信する第１の通信部と、住環境に設置された通信ネットワーク上の機器と通信する第２の通信部とを備える。更に通信装置は、第２の通信部を介して、電力量計（スマートメータ）と第１の通信部で通信するための、電力量計（スマートメータ）の認証ＩＤ及び通信を行うための認証情報を設定する電力量計設定部とを備える。更に、第２の通信部は、ＮＦＣ通信、ＩｒＤＡ通信、若しくはＢｌｕｅｔｏｏｔｈ（登録商標）通信を含む無線通信のための通信部である。
【０１０４】
このように、実施の形態４に係る通信装置１５を含むホームエネルギマネジメントシステム２では、宅内配線が構築されていない状況であっても、分電盤１４のみによりＢルート通信のための「認証ＩＤ」及び「認証情報」を分電盤１４に簡易に設定することができる。このことにより、分電盤１４の構成をコンパクト且つ簡易なものにすることができる。
【０１０５】
また、「認証ＩＤ」や「認証情報」が直接入力機器６０に入力される実施の形態１に比べて、操作者の入力ミスが発生する可能性が小さく、よって、スマートメータ１２と分電盤１４との間の初期接続の失敗が発生する可能性も小さい。更に、認証ＩＤや認証情報が暗号化通信により保護されるので、それらデータが第三者の目に触れることがなくより安全にＢルートが構築され得る。
【０１０６】
また、本実施の形態では、第三者には通常開示されない分電盤の個体識別番号を用いて「認証ＩＤ」や「認証情報」が取得される。このことにより、第三者がＢルート通信のための「認証ＩＤ」や「認証情報」を悪意で取得してＢルート通信に不正に介入するような事態の発生が防がれ得る。
【０１０７】
「認証ＩＤ」及び「認証情報」を記憶する記憶部５０は、スマートメータアダプタ１６が備えてもよいし、ＨＥＭＳアダプタ１８が備えてもよい。
【０１０８】
なお本実施の形態においても、「認証ＩＤ」及び「認証情報」を記憶する記憶部５０は、ＨＥＭＳアダプタ１８が備えることがより好ましい。例えば、ＰＬＣ通信に対応するＢルート用通信ＩＦ（インタフェース）部４２を備えるスマートメータアダプタ、及び、９２０ＭＨｚの無線通信に対応するＢルート用通信ＩＦ（インタフェース）部４２を備えるスマートメータアダプタがそれぞれ準備された上で、分電盤１４の設置場所に応じていずれかのスマートメータアダプタが選択されるような場合、記憶部５０をＨＥＭＳアダプタ１８が備えていれば、いずれのスマートメータアダプタが選択されても分電盤１４において「認証ＩＤ」および「認証情報」が確実に利用され得ることになるからである。
【０１０９】
〔実施の形態５〕
図７を用いて、実施の形態５に係る通信装置１５、Ｂルート設定用アダプタ９２、入力機器６０、及び外部サーバ８０を説明する。
【０１１０】
＜５−１．構成＞
実施の形態５に係る分電盤１４に含まれる通信装置１５、入力機器６０及び外部サーバ８０は、図６に示す実施の形態４に係る通信装置、入力機器及び外部サーバと略同様の構成を有する。但し、以下で説明するように、実施の形態５に係る入力機器６０は、Ｂルート設定用アダプタ９２を介して「認証ＩＤ」及び「認証情報」を分電盤１４の記憶部５０に設定する点で、実施の形態４に係るものとは異なる。
【０１１１】
図７は、本発明の実施の形態５に係る、分電盤１４に含まれる通信装置１５、Ｂルート設定用アダプタ９２、入力機器６０、及び外部サーバ８０の構成を示すブロック図である。分電盤１４に含まれる通信装置１５は、スマートメータ１２とのＢルート通信を行うためのＢルート用通信制御部４０及びＢルート用通信ＩＦ（インタフェース）部４２を備える。ここで、本実施の形態において、スマートメータ１２と分電盤１４との間のＢルート通信は、ＰＬＣ若しくは特定小電力無線（９２０ＭＨｚ帯）信号を介して行われる。また、本実施の形態においては、Ｂルート設定用アダプタ９２と分電盤１４との間の通信も、ＰＬＣ若しくは特定小電力無線（９２０ＭＨｚ帯）信号を介して行われる。よって、Ｂルート設定用アダプタ９２と分電盤１４との間の通信においても、分電盤１４のＢルート用通信ＩＦ（インタフェース）部４２が用いられる。更に、通信装置１５は、Ｂルート接続を設定するためのＢルート設定部４４及び記憶部５０を備える。
【０１１２】
Ｂルート用通信制御部４０及びＢルート用通信ＩＦ（インタフェース）部４２は、スマートメータアダプタ１６に含まれスマートメータアダプタ１６を構成する。
【０１１３】
Ｂルート設定用アダプタ９２は、Ｂルート設定情報入手部９４、ＰＬＣ／９２０ＭＨｚＩＦ（インタフェース）部９６、Ｂルート設定情報通知部９８、及び記憶部１００を備える。Ｂルート設定用アダプタ９２は、ＰＬＣ／９２０ＭＨｚＩＦ（インタフェース）部９６によって、分電盤１４との、ＰＬＣ通信若しくは特定小電力無線（９２０ＭＨｚ帯）信号通信を行う。
【０１１４】
なお、Ｂルート設定用アダプタ９２は、Ｂルート設定時に分電盤１４の近傍に設定されることが望ましい。
【０１１５】
入力機器６０は、実施の形態４に係るものと同様に、データ入力のための入力部６２、記憶部６３、Ｂルート設定情報通知部６７、及び、Ｂルート設定情報入手部６５を備える。Ｂルート設定情報通知部６７は、Ｂルート接続を設定するために、Ｂルート設定用アダプタ９２のＢルート設定情報入手部９４とＮＦＣ通信、ＩｒＤＡ規格通信、若しくはＢｌｕｅｔｏｏｔｈ（登録商標）通信を行う。Ｂルート設定情報入手部６５は、Ｂルート接続を設定するための設定情報の入手を行う。
【０１１６】
外部サーバ８０は、実施の形態２に係るものと同様に、通信部８２と記憶部８４を備える。記憶部８４では、ユーザ識別情報と「識別ＩＤ」及び「認証情報」とが、予め紐付けて記憶されている。更に記憶部８４では、ユーザ識別情報、分電盤の個体識別番号、並びに「識別ＩＤ」及び「認証情報」が予め紐付けて記憶されていてもよい。
【０１１７】
＜５−２．動作＞
５−２−１．通信装置、Ｂルート設定用アダプタ、入力機器及び外部サーバの動作
図２を用いて説明したように、分電盤１４にはＢルート接続のための「認証ＩＤ」と「認証情報」が設定されなければならない。本実施の形態では、外部サーバ８０に送信されるデータ（ユーザ識別情報、分電盤の個体識別番号など）を用いて外部サーバ８０にて「認証ＩＤ」と「認証情報」が取得され、これら「認証ＩＤ」と「認証情報」が分電盤１４に含まれる通信装置１５に「認証ＩＤ」と「認証情報」が設定される。
【０１１８】
まず、ＮＦＣ通信、ＩｒＤＡ規格通信、若しくはＢｌｕｅｔｏｏｔｈ（登録商標）通信を介して、入力機器６０がＢルート設定用アダプタ９２と接続される。これと同時に、ＰＬＣ通信若しくは特定小電力無線（９２０ＭＨｚ帯）信号通信を介して、分電盤１４がＢルート設定用アダプタ９２と接続される。
【０１１９】
続いて、入力機器６０の入力部６２から、分電盤１４のユーザに関するユーザ識別情報（例えば、ユーザの住所・氏名に関するデータ）が入力される。入力されたユーザ識別情報は、入力機器６０のＢルート設定情報入手部６５から、インターネット２８を経由して、外部サーバ８０の通信部８２に送信される。ここで、分電盤１４の個体識別番号も、入力機器６０の入力部６２から入力されて、Ｂルート設定情報入手部６５から外部サーバ８０の通信部８２に送信されてもよい。更に、入力機器６０から外部サーバ８０にユーザ識別情報及び分電盤１４の個体識別番号が送信される際には、暗号化通信によりユーザ識別情報及び個体識別番号が保護されるのが好ましい。
【０１２０】
外部サーバ８０においては、通信部８２が受信したユーザ識別情報に基づいて、その情報に予め紐付けられている「認証ＩＤ」及び「認証情報」が探索され取得される。このとき、通信部８２が受信したユーザ識別情報及び分電盤の個体識別番号に基づいて、それら情報に予め紐付けられている「認証ＩＤ」及び「認証情報」が探索され取得されてもよい。取得された「認証ＩＤ」及び「認証情報」は外部サーバ８０の通信部８２から、インターネット２８を経由して、入力機器６０のＢルート設定情報入手部６５に送信される。外部サーバ８０から入力機器６０に「認証ＩＤ」及び「認証情報」が送信される際には、暗号化通信によりそれら情報が保護されるのが好ましい。
【０１２１】
外部サーバ８０から取得された「認証ＩＤ」及び「認証情報」は、入力機器６０におけるＢルート設定情報通知部６７から、ＮＦＣ通信、ＩｒＤＡ規格通信、若しくはＢｌｕｅｔｏｏｔｈ（登録商標）通信を介して、Ｂルート設定用アダプタ９２におけるＢルート設定情報入手部９４に通知される。
【０１２２】
入力機器６０から取得された「認証ＩＤ」及び「認証情報」は、Ｂルート設定用アダプタ９２におけるＢルート設定情報通知部９８及びＰＬＣ／９２０ＭＨｚＩＦ部９６から、ＰＬＣ通信若しくは特定小電力無線（９２０ＭＨｚ帯）信号通信を介して、分電盤１４におけるＢルート用通信ＩＦ部４２に通知される。
【０１２３】
分電盤１４における、Ｂルート用通信ＩＦ部４２に通知される「認証ＩＤ」及び「認証情報」は、Ｂルート設定部４４が、分電盤１４の通信装置１５の記憶部５０に記憶させる。
【０１２４】
このように記憶部５０に記憶された「認証ＩＤ」及び「認証情報」を、分電盤１４は、Ｂルート６における接続認証にて利用する。
【０１２５】
なお、「認証ＩＤ」及び「認証情報」がバーコードやＱＲコード（登録商標）で表されて、それらコードが分電盤１４のＢルート用通信ＩＦ部４２に送信されＢルート用通信ＩＦ部４２がコード内容を読み取る、という構成が採用されてもよい。
【０１２６】
また、分電盤１４のＢルート用通信ＩＦ部４２は、「認証ＩＤ」及び「認証情報」が記録されたカード記録媒体（例えば、ＳＤカード）と通信するメモリ通信装置であってもよい。
【０１２７】
＜５−３．まとめ＞
以上のように、実施の形態５に係るホームエネルギマネジメントシステム２におけるＢルート設定用アダプタ９２は、ＮＦＣ通信、ＩｒＤＡ通信、若しくはＢｌｕｅｔｏｏｔｈ（登録商標）通信を含む無線通信を介して取得した電力量計の認証ＩＤ及び通信を行うための認証情報を、ＰＬＣ通信若しくは特定小電力無線通信を介して、前記電力量計に接続する分電盤１４に発信する。
【０１２８】
このように、実施の形態５に係る通信装置１５を含むホームエネルギマネジメントシステム２では、宅内配線が構築されていない状況であっても、分電盤１４のみによりＢルート通信のための「認証ＩＤ」及び「認証情報」を分電盤１４に簡易に設定することができる。更に、本実施の形態に係る分電盤１４は、ＮＦＣ通信、ＩｒＤＡ規格通信、若しくはＢｌｕｅｔｏｏｔｈ（登録商標）通信のための設備を備える必要が無い。これらのことにより、分電盤１４の構成をコンパクト且つ簡易なものにすることができる。
【０１２９】
また、「認証ＩＤ」や「認証情報」が直接入力機器６０に入力される実施の形態１に比べて、操作者の入力ミスが発生する可能性が小さく、よって、スマートメータ１２と分電盤１４との間の初期接続の失敗が発生する可能性も小さい。更に、認証ＩＤや認証情報が暗号化通信により保護されるので、それらデータが第三者の目に触れることがなくより安全にＢルートが構築され得る。
【０１３０】
また、本実施の形態では、第三者には通常開示されない分電盤の個体識別番号を用いて「認証ＩＤ」や「認証情報」が取得される。このことにより、第三者がＢルート通信のための「認証ＩＤ」や「認証情報」を悪意で取得してＢルート通信に不正に介入するような事態の発生が防がれ得る。
【０１３１】
「認証ＩＤ」及び「認証情報」を記憶する記憶部５０は、スマートメータアダプタ１６が備えてもよいし、ＨＥＭＳアダプタ１８が備えてもよい。
【０１３２】
なお、本実施の形態においても、「認証ＩＤ」及び「認証情報」を記憶する記憶部５０は、ＨＥＭＳアダプタ１８が備えることがより好ましい。例えば、ＰＬＣ通信に対応するＢルート用通信ＩＦ（インタフェース）部４２を備えるスマートメータアダプタ、及び、９２０ＭＨｚの無線通信に対応するＢルート用通信ＩＦ（インタフェース）部４２を備えるスマートメータアダプタがそれぞれ準備された上で、分電盤１４の設置場所に応じていずれかのスマートメータアダプタが選択されるような場合、記憶部５０をＨＥＭＳアダプタ１８が備えていれば、いずれのスマートメータアダプタが選択されても分電盤１４において「認証ＩＤ」および「認証情報」が確実に利用され得ることになるからである。
【符号の説明】
【０１３３】
２・・・ホームエネルギマネジメントシステム（ＨＥＭＳ）、
４・・・Ａルート、
６・・・Ｂルート、
８・・・ホームエリアネットワーク、
１０・・・電力会社サーバ、
１２・・・スマートメータ、
１４・・・分電盤、
１５・・・通信装置、
２２・・・ＨＥＭＳコントローラ、
２４・・・ＨＥＭＳサーバ、
２６・・・ルータ、
２８・・・インターネット、
３０・・・汎用表示装置、
３２・・・ＨＡＮ側機器、
６０・・・入力機器、
７０・・・イーサネット（登録商標）、
８０・・・外部サーバ、
９２・・・Ｂルート設定用アダプタ。
【図１】
2015045345.tif 000003
【図２】
2015045345.tif 000004
【図３】
2015045345.tif 000005
【図４】
2015045345.tif 000006
【図５】
2015045345.tif 000007
【図６】
2015045345.tif 000008
【図７】
2015045345.tif 000009
【手続補正書】
【提出日】平成28年2月25日(2016.2.25)
【手続補正１】
【補正対象書類名】明細書
【補正対象項目名】００２８
【補正方法】変更
【補正の内容】
【００２８】
汎用表示装置３０やＨＥＭＳサーバ２４からの信号を受信するルータ２６は、ＨＡＮ側機器３２を制御する信号などをＨＥＭＳコントローラ２２に送信する。これと併せてルータ２６は、ＨＡＮ側機器３２からの信号を受けたＨＥＭＳコントローラ２２からの信号を受信し、更に、汎用表示装置３０やＨＥＭＳサーバ２４に信号を送信する。
【手続補正２】
【補正対象書類名】明細書
【補正対象項目名】００２９
【補正方法】変更
【補正の内容】
【００２９】
以上のように、ＨＥＭＳコントローラ２２は、電力会社サーバ１０からＡルート４及びＢルート６経由で通知されるコマンドレスポンス情報を基に、ＨＡＮ側機器３２の制御を行う。同時に、ＨＥＭＳコントローラ２２は、ＨＥＭＳサーバ２４や汎用表示装置３０からの命令信号を基に、ＨＡＮ側機器３２の制御を行う。
【手続補正３】
【補正対象書類名】明細書
【補正対象項目名】００５６
【補正方法】変更
【補正の内容】
【００５６】
＜２−１．構成＞
実施の形態２に係る分電盤１４に含まれる通信装置１５及び入力機器６０は、図３に示す実施の形態１に係る通信装置及び入力機器と同様の構成を有する。以下で説明するように、実施の形態２に係る入力機器６０は、ユーザ識別情報に基づいて、外部サーバ８０から「認証ＩＤ」及び「認証情報」を取得する点で、実施の形態１のものとは異なる。ここでの外部サーバ８０は、インターネットを経由して入力機器６０と接続する。
【国際調査報告】
2015045345.tif 000010
2015045345.tif 000011
2015045345.tif 000012
2015045345.tif 000013